(57)【要約】【課題】  スピーカ等の放音手段からの放射音を効率良く拡散反射させる。【解決手段】  音束を反射する音響反射体ｒと、音束放射面Ｐから音響反射体ｒに対して音束を放出するアレイスピーカＡＳＰを有し、音響反射体ｒの反射面ｒｓは滑らかな凸形状に形成されるとともに、音束が放射される方向に向かって突出している。このような構成によって、音束は音響反射体ｒの前後方向に効率良く拡散される。【選択図】      図５
2006109344.tif 000002
【特許請求の範囲】
【請求項１】
音束を反射する音響反射体と、
音束放射面から前記音響反射体に対して前記音束を放出する音束出力手段とを有し、
前記音響反射体の反射面は滑らかな凸形状に形成されるとともに、前記音束が放射される方向に向かって突出していることを特徴とする音響反射システム。
【請求項２】
前記音束は並行ビームであることを特徴とする請求項１記載の音響反射システム。
【請求項３】
前記音響反射体の断面の外縁が放物線となるように前記凸形状が形成され、前記音束と前記放物線の軸とが平行に設定されることを特徴とする請求項２記載の音響反射システム。
【請求項４】
前記音響反射体はその断面形状が楕円であり、前記音束は、前記楕円の２つの焦点のうち、前記音束放射面から遠い側の焦点に向かって収束する収束ビームであることを特徴とする請求項１記載の音響反射システム。
【請求項５】
前記音響反射体面はその断面の外縁が双曲線であり、前記音束は前記双曲線の焦点のうち、前記反射体側ではない焦点から前記反射面に向けて放出される音束であることを特徴とする請求項１記載の音響反射システム。
【請求項６】
前記凸形状は前記音束放射面から前記反射面に対して仮想平行線の束を引いた場合に、前記仮想平行線に直交する任意の位置から前記凸形状の先端部分に至るまでの仮想平行線の距離が最も短く、前記先端部分から遠ざかるにつれて前記位置から前記反射面に至る仮想平行線の距離が順次長くなるように形成されていることを特徴とする請求項１記載の音響反射システム。
【請求項７】
前記音響反射体は凸形状の先端部分が前記音束が最も早く到達する位置に設定されていることを特徴とする請求項１記載の音響反射システム。
【発明の詳細な説明】
【技術分野】
【０００１】
本発明は、ホールやシアターなどの音響空間で音声や楽音などを受聴させるための技術に関する。
【背景技術】
【０００２】
ホールやシアターなどの音響空間では、一般に、壁面や天井に複数のスピーカが分散配置されている。これら複数のスピーカから一斉に放音すれば、ステレオ効果や特殊効果を奏することができる。ただし、音響空間のサイズに応じた数のスピーカを設置しなければならないので、相当のコストがかかることに加え、各々のスピーカへ配線を張り巡らせるなどの煩雑な作業を必要とする。
【０００３】
特許文献１、２には、複数のスピーカユニットを列方向或いは面状に配列したアレイスピーカを天井などに設置し、このアレイスピーカから放射される音響ビームＢを壁面に反射させて音像を定位させたり（特許文献１）、アレイスピーカを回転させてリスナから見て３６０°のあらゆる方向に音像を定位させたりしている（特許文献２）。ここで用いられているアレイスピーカは、複数のスピーカユニットを列方向或いは面状に配列したスピーカシステムであり、各スピーカユニットに供給するオーディオ信号の遅延時間を適切にコントロールすることで、指向性を有する音波（以下、音響ビームという）を所望の方向に放射することができる。よって、特許文献１においても、アレイスピーカを１箇所に設置するだけで、複数方向に音響ビームＢを放射することができ、スピーカへの配線作業を大幅に軽減することができる。しかしながら、ホールなどの平坦な壁面では、通常は鏡面反射しか起らないので、反射角度に対応した一方向にしか音が届かず、反射面から音響の広がりを得ることはできなかった。
【特許文献１】特開平９−２３３５９１号公報
【特許文献２】特開平９−２３３５８８号公報
【発明の開示】
【発明が解決しようとする課題】
【０００４】
上述のように、特許文献１、２に示される装置を使っても、反射面から音の広がりを得ることができないので、広がりのある音を得ようとすれば、結局は、それぞれの部位にスピーカを設置しなければならなかった。
【０００５】
本発明は、上述した事情に鑑みてなされたもので、ビーム状の音束を放出することができるアレイスピーカのような放音手段を用いた場合でも、広がりをもった反射音を得ることができる音響反射システムを提供することを目的としている。
【課題を解決するための手段】
【０００６】
上述した課題を解決するために、本発明は、音束を反射する音響反射体と、音束放射面から前記音響反射体に対して前記音束を放出する音束出力手段とを有し、前記音響反射体の反射面は滑らかな凸形状に形成されるとともに、前記音束が放射される方向に向かって突出していることを特徴とする。
【０００７】
この場合、前記音束を並行ビームとしてもよく、さらに、前記音響反射体の断面の外縁が放物線となるように前記凸形状が形成され、前記音束と前記放物線の軸とが平行に設定すると好適である。
【０００８】
また、前記音響反射体はその断面形状が楕円であり、前記音束は、前記楕円の２つの焦点のうち、前記音束放射面から遠い側の焦点に向かって収束する収束ビームとしてもよい。
【０００９】
また、前記音響反射体面はその断面の外縁が双曲線であり、前記音束は前記双曲線の焦点のうち、前記反射体側ではない焦点から前記反射面に向けて放出される音束としてもよい。
【００１０】
また、前記凸形状は前記音束放射面から前記反射面に対して仮想平行線の束を引いた場合に、前記仮想平行線に直交する任意の位置から前記凸形状の先端部分に至るまでの仮想平行線の距離が最も短く、前記先端部分から遠ざかるにつれて前記位置から前記反射面に至る仮想平行線の距離が順次長くなるように形成してもよい。
【００１１】
また、前記音響反射体は凸形状の先端部分が前記音束が最も早く到達する位置に設定してもよい。
【発明の効果】
【００１２】
本発明によれば、音束が音響反射体の凸形状に当たって拡散される。この場合、音響反射体が音束の放出方向に向かって突出しているので、音束に対して効率よく拡散を行うことができる。また、音響反射体の音束を反射させる位置を変えることで、反射音が到達するエリアの位置や大きさを変えることができる。
【発明を実施するための最良の形態】
【００１３】
（１）アレイスピーカの原理
本発明の実施形態の詳細に入る前に、まず、この実施形態に用いるアレイスピーカの原理について簡単に説明しておく。
【００１４】
図１は、２つのスピーカユニットＳＰ１，ＳＰ２によって構成されたアレイスピーカＡＳＰの電気的構成を示す図である。図１においては、スピーカユニットＳＰ１，ＳＰ２の中心軸Ｙ１，Ｙ２は平行であり、かつ、スピーカユニットＳＰ１，ＳＰ２のコーン（振動板）が中心軸Ｙ１，Ｙ２の方向に等しい位置となるように配置されているものとする。また、中心軸Ｙ１と中心軸Ｙ２との間隔を「ａ」とし、中心軸Ｙ１，Ｙ２から音波の放射方向Ｙ１１，Ｙ２２への角度（以下、放射角という）を「θ」とする。受聴エリアが十分に遠いと仮定すると、スピーカユニットＳＰ１から放射方向Ｙ１１の方向に放射された音波と、スピーカユニットＳＰ２から放射方向Ｙ２２の方向に放射された音波との行路差は、「ａ・ｓｉｎθ」となる。
【００１５】
入力端子Ｔinから入力されたオーディオ信号は２つの経路に分岐される。このうち一方の経路のオーディオ信号は遅延回路ＤＬ１を経由してスピーカユニットＳＰ１に供給され、他方の経路のオーディオ信号は遅延回路ＤＬ２を経由してスピーカユニットＳＰ２に供給される。オーディオ信号は、例えば人間の音声や楽器の演奏音といった種々の音を示す信号である。遅延回路ＤＬ１およびＤＬ２は、供給されたオーディオ信号をそれぞれ時間Ｄ１およびＤ２（Ｄ２≧Ｄ１）だけ遅延させて出力する。したがって、スピーカユニットＳＰ１から放射される音波とスピーカユニットＳＰ２から放射される音波との間には時間差（Ｄ２−Ｄ１）が生じる。
【００１６】
このような両音波の時間差のほかに、上述したように放射軸Ｙ１１と放射軸Ｙ２２との行路差があるから、音響空間Ｒのうち各音波が到達する位置（受聴点）に応じて両音波の位相関係は相違する。例えば、ある位置においては両音波が同相となって加算され、音量が２倍となる。また、他の位置においては両音波が逆相となって相殺され、音量が０となる。したがって、各々の遅延回路ＤＬ1およびＤＬ2における遅延量を適切にコントロールすれば、アレイスピーカＡＳＰから放射される音波に所望の指向性を持たせることができる。もちろん、スピーカユニットの個数がさらに多くなってもその原理は同じである。
【００１７】
なお、図１では、オーディオ信号のチャネル数を１つとしていたが、チャネル数をもっと多くしてもよい。また、各チャネルのオーディオ信号に対して適切な遅延量で遅延処理を施した後に、これら遅延処理が施されたオーディオ信号を加算して各スピーカユニットから放射すれば、チャネル別の音響ビームをそれぞれ異なる方向に放射することが可能となる。例えば、別々の楽音をそれぞれ異なる音響ビームとして放射したり、別々の言語のスピーチや映画の吹き替え音声をそれぞれ異なる音響ビームとして放射する、といったことを実現することができる。
【００１８】
次に、本発明の実施形態について詳細に説明する。
（２）音響システムの全体構成
【００１９】
図２は、実施形態に係る音響システムの構成を示す平面図である。音響空間Ｒは、コンサートや催事が開催されるホールであり、講演や演奏・歌唱などが行われるステージＳＴと、鑑賞者（受聴者）が位置する客席ＳＥとが設けられている。客席ＳＥの後方壁面ＷＬ１の天井付近には、アレイスピーカＡＳＰが設けられている。このアレイスピーカＡＳＰは、指向性を有する音波（音響ビーム）を放射する放音手段である。また、音響空間Ｒの側壁面ＷＬ２，ＷＬ３には、音響反射体ｒ１〜ｒ６が設けられている。これらの音響反射体ｒ１〜ｒ６はそれぞれ音響反射面を有しており、アレイスピーカＡＳＰから放射されてくる音響ビームをその音響反射面によって音響空間Ｒ内に向けて反射する。図２において、アレイスピーカＡＳＰの位置から各々の音響反射体ｒ１〜ｒ６の方向に伸びる矢印Ｂ１〜Ｂ６は、音響ビームを意味している。また、音響反射体ｒ１〜ｒ６の位置から同心円状に広がる点線は、反射された音響ビームが音響空間Ｒ内を拡散しながら進行する（散乱する）様子を図示したものである。なお、側壁面ＷＬ２，ＷＬ３において、音響反射体ｒ１〜ｒ６が設けられた箇所以外の壁面部分には、フラッターエコーを防止することなどを目的として、吸音パネルなどの音響吸音体が設けられている。
【００２０】
図３は、アレイスピーカＡＳＰとその周辺装置の電気的構成を示すブロック図である。アレイスピーカＡＳＰは、水平方向に一列に配列された８個のスピーカユニットＳＰ１〜ＳＰ８によって構成されている。メイン制御部ＣＵは、ＣＰＵや、記憶手段としてのメモリｍを備えている。このメイン制御部ＣＵから入力端子Ｔinに供給されたオーディオ信号は、遅延回路ＤＬ１〜ＤＬ８およびレベル制御回路Ｗ１〜Ｗ８を介してスピーカユニットＳＰ１〜ＳＰ８に供給される。遅延回路ＤＬ１〜ＤＬ８は、入力されたオーディオ信号の遅延処理を行う。レベル制御回路Ｗ１〜Ｗ８は、入力されたオーディオ信号のレベルを減衰ないし増幅する。遅延回路ＤＬ１〜ＤＬ８およびレベル制御回路Ｗ１〜Ｗ８の動作パラメータは、メイン制御部ＣＵから供給される制御信号によって指定される。ユーザインタフェース部ＵＩは、各種スイッチやキーからなる操作部と、液晶ディスプレイなどの表示部とを備えている。オペレータは、表示部に表示された情報を参照しながら操作部を操作することにより、メイン制御部ＣＵに対して各種の指示を与えることができるようになっている。
【００２１】
ここで、図４は、音響空間Ｒを後方壁面ＷＬ１の位置から見た場合の立体図である。図３に示すように、音響反射体ｒ１〜ｒ６は、側壁面ＷＬ２，ＷＬ３の所定の高さの箇所に設けられている。アレイスピーカＡＳＰによって放射された音響ビームは、この音響反射体ｒ１〜ｒ６によって反射させられてから客席ＳＥの受聴者に到達する。
【００２２】
次に、音響反射体ｒ１〜ｒ６の形状について説明する。音響反射体ｒ１〜ｒ６はアレイスピーカＡＳＰに向かって凸状となっている断面を有した柱体（図５（ｂ）参照）として形成されている。そして、図２に示すように、音響反射体ｒ１より音響反射体ｒ２の方がより突出した形の断面形状であり、音響反射体ｒ２より音響反射体ｒ３の方がより突出した断面形状になっている。また、音響反射体ｒ１、ｒ２、ｒ３と音響反射体ｒ４、ｒ５、ｒ６は、各々アレイスピーカＡＳＰからみて左右対称に形成され、全ての音響反射体ｒ１〜ｒ６は、アレイスピーカＡＳＰの方向に対して突出している。なお、音響反射体ｒ１〜ｒ６は全てほぼ共通の構成であるから、それぞれを区別して説明する必要がない場合には、「音響反射体ｒ」と総称する。これは音響ビームＢ１〜Ｂ６についても同様とする。
【００２３】
次に、音響反射体ｒの反射面ｒｓの形状について詳述する。図５（ａ）は音響反射体ｒの断面形状の詳細を示す図である。この図においては、側壁面ＷＬに設けられた１つの音響反射体ｒの反射面ｒｓとアレイスピーカＡＳＰとの位置関係を示している。図５（ａ）に示す仮想平行線ｓ，ｓ，ｓ，ｓ…は、アレイスピーカＡＳＰの音束放射面Ｐから音響反射体ｒの反射面ｒｓに向けて引かれた仮想平行線である。音束放射面ＰはスピーカＳＰ１〜ＳＰ８の前面あるいはスピーカＳＰ１〜ＳＰ８が取り付けられているバッフル板の面のうち、音響反射体ｒについて音束を放出している部分である。また、仮想直線Ｌは平行線ｓ，ｓ…に直交する直線であり、任意の位置において引かれている。ここで、音響反射体ｒの反射面の断面形状は、滑らかな凸状であるとともに、仮想直線Ｌと反射面ｒｓとの間の仮想平行線ｓ，ｓ…の長さが凸状の先端部において最も短く、先端部から離れるにつれて次第に長くなるように形成されている。
【００２４】
反射面が上述のように構成されていると、アレイスピーカＡＳＰから平行音響ビームＢが放出されたときに、この平行の音響ビームＢは音響反射体ｒの周囲に拡散される。すなわち、図５（ａ）に示す仮想平行線ｓを平行の音響ビームＢを示す音束に置き換えて説明すると、反射音は同図に破線で示すように音響空間Ｒのあらゆる方向に拡散される。
【００２５】
上述した構成において、アレイスピーカＡＳＰが各音響反射体ｒ１〜ｒ６に向けて平行の音響ビームＢ１〜Ｂ６を出力すると、音響ビームＢ１〜Ｂ６は、それぞれ各音響反射体ｒ１〜ｒ６において周囲に拡散される。このとき、拡散された音の音像は音響反射体ｒ１〜ｒ６の位置に定位することになり、受聴者から見れば、音響反射体ｒ１〜ｒ６の位置にあたかもスピーカがあるかのように感じることになる。
【００２６】
ところで、本実施形態に係る音響システムにおいて、音響ビームＢを音響反射体ｒに当てる際には、音響反射体ｒの反射面全面に当てなくてもよい。反射させたいエリアに応じた音響ビームの当て方をすることが可能である。
【００２７】
この場合には、アレイスピーカＡＳＰにおいては、各スピーカユニットＳＰ１〜ＳＰ８における遅延量をコントロールすることで、放射方向を変えたり、音響ビームＢの幅を変えることができる。ここで、音響ビームの幅とは、音響ビームの進行方向（放射方向）に直交する方向における、その音響ビームの太さを意味する。音響ビームＢの幅を小さくすることは指向性を強めることに相当し、音響ビームＢの幅を大きくすることは指向性を弱めることに相当する。図６〜８は、受聴エリアの位置に応じて音響ビームＢの放射方向を変化させた様子を示した図である。図６に示すように、反射面ｒｓのうち、アレイスピーカＡＳＰ側に比較的近い位置にある反射面ｒｐ１に向けて音響ビームＢを放射すると、その音響ビームＢはアレイスピーカＡＳＰに近づく方向に反射することになる。従って、音響反射体ｒよりも後方に位置する受聴エリアＬＡに音響ビームＢを到達させることができる。なお、図６において、「前方」とはステージＳＴに近づく方向であり、「後方」とはステージＳＴから遠ざかる方向（後方壁面ＷＬ１に近づく方向）を意味している（以降の説明において同じ）。
【００２８】
一方、図８に示すように、反射面ｒｓのうち、アレイスピーカＡＳＰから比較的遠い位置にある反射面ｒｐ２に向けて音響ビームＢを放射すると、その音響ビームＢはアレイスピーカＡＳＰから遠ざかる方向に反射することになる。従って、音響反射体ｒよりも前方に位置する受聴エリアＬＡに音響ビームＢを到達させることができる。そして、図７に示すように、反射面ｒｓのうち、図６の反射面ｒｐ１と図８の反射面ｒｐ２の中間に位置する反射面ｒｐ３に向けて音響ビームＢを放射すると、その受聴エリアＬＡの位置も、図６の受聴エリアと図８の受聴エリアの中間付近となる。すなわち、音響反射体ｒのほぼ側方に位置する受聴エリアＬＡに音響ビームＢを到達させることができる。
【００２９】
さらに、前述した図５と図６とを比較すると理解できるように、放射中心軸ＷＯの反射面ｒｓ上の位置がほぼ同じであっても、音響ビームＢの幅ｗｄを大きくすると（図５の場合）、反射した音響ビームＢはより広い方向に進行することなる。つまり、反射による音響ビームＢの拡散効果が大きくなり、受聴エリアＬＡを大きくすることができる。逆に音響ビームＢの幅ｗｄを小さくすると（図６の場合）、その音響ビームＢが反射する方向はある一定の方向に限られるので、受聴エリアＬＡは小さくなる。
【００３０】
次に、反射面ｒｓの形状の態様について説明する。図９に示すように、反射面ｒｓの曲径が比較的小さい場合には、音響ビームＢの大部分がアレイスピーカＡＳＰから遠ざかる方向に反射することになる。つまり、平面状の壁面で起こる鏡面反射に近い反射現象が起きていることになる。この場合には、図９に示すように、音響反射体ｒよりも前方に位置する受聴エリアＬＡに音響ビームＢを到達させることができる。次に、図１０に示すように、反射面ｒｓの曲径を図９の場合よりも大きくすると、反射される音響ビームＢの方向にあまり偏りがない状態となる。つまり、音響反射体ｒの位置から見て、前方から後方にかけての比較的広い受聴エリアＬＡに音響ビームＢを到達させることができる。また、図１１に示すように、反射面ｒｓの曲径をさらに大きくすると、音響ビームＢは概ねアレイスピーカＡＳＰに近づく方向に反射することになる。従って、音響反射体ｒよりも後方に位置する受聴エリアＬＡに音響ビームＢを到達させることが可能となる。
【００３１】
以上のように、反射面ｒｓの形状は、滑らかな凸形状に形成されるとともに、音響ビームＢが放出される方向（音束が放出される方向）に向かって突出することによって、音響ビームＢを反射体の前後方向に効率良く拡散することができ、また、曲率を変えることによって反射状態を適宜設定することが可能である。また、凸形状の形成の仕方は、図５（ａ）で示した形成方法に限らず、凸形状が滑らかに形成され、かつ、音束が放出される方向に突出していればよい。さらに、凸形状の先端部の位置を、音束が最も早く到達するような位置に設定するとよい。
【００３２】
本発明は、以下のように種々の形態で実施することができる。
（１）反射面ｒｓの断面形状として以下のように楕円、放物線、双曲線を用いても良い。例えば、図１２は音響反射体ｒの断面形状を楕円にした場合の例である。この例の場合は、音響ビームＢは平行ビームでもよいが、図１２に示すように楕円の二つの焦点Ｆ１，Ｆ２のうち、アレイスピーカＡＳＰから遠い方の焦点Ｆ２に収束する音響ビームＢとすると、音響反射体ｒによる反射音は、アレイスピーカＡＳＰに近い方の焦点Ｆ１を通る直線に沿って進むから、反射音の音像位置があたかも焦点Ｆ１にあるように聞こえる。なお、この図において側壁面ＷＬは一点鎖線で表しているが、この一点鎖線よりも下方の部分は音響反射体ｒとして形成する必要はなく、一点鎖線よりも上の部分だけで形成すればよい。
【００３３】
また、音響反射体ｒは、断面楕円の柱体だけでなく、ｘ軸中心に回転させて出来る楕円体としてもよい。この場合には、反射音の音像は焦点Ｆ１から四方に拡散する点音源として認識される。
【００３４】
図１３は音響反射体ｒの断面形状の外縁を放物線とした場合の例である。この例の場合は、音響ビームは、放物線の頂点と焦点を結ぶ線に平行な平行ビームとしている。このような構成によれば、音響反射体で反射された反射音は、放物線の焦点Ｆを通る直線に沿って進むから、反射音の音像はあたかも焦点Ｆにあるように聞こえる。なお、この図において側壁面ＷＬは一点鎖線で表しているが、この一点鎖線よりも下方の部分は音響反射体ｒとして形成する必要はなく、一点鎖線よりも上の部分だけで形成すればよい。また、音響反射体ｒは、柱体として形成するだけでなく、放物線をその頂点と焦点Ｆとを結ぶ線を軸として回転させた際にできる立体として形成してもよい。この場合には、反射音は焦点Ｆを点音源として放出された音として認識される。
【００３５】
図１４は音響反射体の断面形状の外縁を双曲線とした例である。この例の場合は、音響ビームは、双曲線の一方の焦点Ｆ１から音響反射体ｒに向かって拡散される音響ビームとなっている。このような構成によれば、音響反射体ｒで反射された反射音は、双曲線の他方の焦点Ｆ２を通る直線に沿って進むから、反射音の音像はあたかも焦点Ｆ２にあるように聞こえる。なお、この図において側壁ＷＬ２は一点鎖線で表しているが、この一点鎖線よりも下方の部分は音響反射体ｒとして形成する必要はなく、一点鎖線よりも上の部分だけで形成すればよい。また、音響反射体ｒは、柱体として形成するだけでなく、双曲線をその焦点Ｆ１と焦点Ｆ２とを結ぶ線を軸として回転させた際にできる立体として形成してもよい。この場合には、反射音は焦点Ｆ２を点音源として放出された音として認識される。
【００３６】
（２）実施形態にかかる音響システムが適用される音響空間は、例えば教会、オペラハウス、会議室、或いはシンクロナイズドスイミングやフィギュアスケート等の競技会場など、屋外屋内を問わず、あらゆる施設に適用することが可能である。屋外に適用する場合には、専用のポールや柱などにアレイスピーカや音響反射体を設置すればよい。天井からつるしたり、空中に浮いた風船に設置してもよい。また、実施形態では１列構成のアレイスピーカについて説明したが、これに限らず、例えばｍ個のスピーカユニットをｎ列構成として合計ｍ×ｎ個のスピーカユニットによってアレイスピーカを構成するようにしてもよい。また、受聴エリアの変化に対し、音響反射体の反射面のみを変化させて対応する場合には、必ずしも、アレイスピーカを使用する必要はなく、その音響反射面に向かう指向性音波を放射する指向性スピーカ（例えばホーンスピーカなど）であれば代用可能である。
【図面の簡単な説明】
【００３７】
【図１】アレイスピーカが指向性音波を放射するための原理を説明する図である。
【図２】本発明の一実施形態に係る音響システムの全体構成を示す模式図である。
【図３】同システムにおけるアレイスピーカとその周辺装置の電気的構成を示すブロック図である。
【図４】同実施形態に係る音響システムが適用された音響空間を示す斜視図である。
【図５】音響ビームが音響反射面で反射される様子を示す図である。
【図６】音響反射体と受聴エリアとの関係を示す図である。
【図７】音響反射体と受聴エリアとの関係を示す図である。
【図８】音響反射体と受聴エリアとの関係を示す図である。
【図９】音響反射体と受聴エリアとの関係を示す図である。
【図１０】音響反射体と受聴エリアとの関係を示す図である。
【図１１】音響反射体と受聴エリアとの関係を示す図である。
【図１２】音響反射体の断面形状を楕円とした場合の反射音の経路を示す図である。
【図１３】音響反射体の断面の外縁を放物線とした場合の反射音の経路を示す図である。
【図１４】音響反射体の断面の外縁を双曲線とした場合の反射音の経路を示す図である。
【符号の説明】
【００３８】
Ｒ・・・音響空間、ＡＳＰ・・・アレイスピーカ、ＳＰ１〜ＳＰ８・・・スピーカユニット、Ｗ１〜Ｗ８・・・レベル制御回路、ＤＬ１〜ＤＬ８・・・遅延回路、ＣＵ・・・メイン制御部、ＵＩ・・・ユーザインタフェース部、ｒ１〜ｒ６・・・音響反射体、Ｂ１〜Ｂ６・・・音響ビーム、ｒｓ・・・音響反射面、ＬＡ・・・受聴エリア。
【図１】
2006109344.tif 000003
【図２】
2006109344.tif 000004
【図３】
2006109344.tif 000005
【図４】
2006109344.tif 000006
【図５】
2006109344.tif 000007
【図６】
2006109344.tif 000008
【図７】
2006109344.tif 000009
【図８】
2006109344.tif 000010
【図９】
2006109344.tif 000011
【図１０】
2006109344.tif 000012
【図１１】
2006109344.tif 000013
【図１２】
2006109344.tif 000014
【図１３】
2006109344.tif 000015
【図１４】
2006109344.tif 000016